(57)【要約】【課題】従来求められていたようなレベル以上のスキルを有さない者であっても、一般顧客向けのコンテンツを作成することを可能とする。【解決手段】テンプレートコード毎にグループ化されているオリジナルコンテンツファイル群を記憶する第１記憶手段、差し替え用素材ファイル群を記憶する第２記憶手段、コンテンツ名別のコンテンツファイル群を記憶する第３憶手段、第１記憶手段に記憶されているオリジナルコンテンツファイル群のうち、指定されたテンプレートコードに対応するオリジナルコンテンツファイル群を第３記憶手段に複写する手段、第３記憶手段に記憶されている一部のコンテンツファイルを第２記憶手段に記憶されているコンテンツファイルに差し替える手段を備える。【選択図】図１
2011186529.tif 000002
【特許請求の範囲】
【請求項１】
テンプレートコード毎にグループ化されているオリジナルコンテンツファイル群を記憶するオリジナルコンテンツファイル群記憶手段と、
差し替え用素材ファイル群を記憶する差し替え用素材ファイル群記憶手段と、
コンテンツ名別のコンテンツファイル群を記憶するコンテンツ名別コンテンツファイル群記憶手段と、
前記オリジナルコンテンツファイル群記憶手段に記憶されているオリジナルコンテンツファイル群のうち、ユーザにより指定されたテンプレートコードに対応するオリジナルコンテンツファイル群の複写を、前記コンテンツ名別コンテンツファイル群記憶手段に格納するコンテンツ名別コンテンツファイル群複写手段と、
前記コンテンツ名別コンテンツファイル群に格納されている前記コンテンツ名に対応したコンテンツファイル群に含まれるコンテンツファイルのうちの前記ユーザにより指定されたコンテンツファイルを、前記差し替え用素材ファイル群記憶手段に記憶されている差し替え用素材ファイル群のうちの前記ユーザにより指定された差し替え用素材ファイルに差し替えるコンテンツファイル差し替え手段と、
を備えることを特徴とするコンテンツ編集システム。
【請求項２】
請求項１に記載のコンテンツ編集システムにおいて、
前記コンテンツ名別コンテンツファイル群複写手段は、通信回線により相互に接続された第１サーバ部と第１クライアント部とを含み、
前記第１クライアント部が、前記コンテンツ名別コンテンツファイル群複写手段の動作時におけるユーザによる指定を受け付け、前記通信回線を通じて、前記コンテンツ名別コンテンツファイル群複写手段の動作時におけるユーザによる前記指定を、前記第１サーバ部に送信し、
前記第１サーバ部が、前記コンテンツ名別コンテンツファイル群複写手段の動作時におけるユーザによる前記指定を、前記第１クライアント部から受信し、前記複写の格納を行うことを特徴とするコンテンツ編集システム。
【請求項３】
請求項１又は２に記載のコンテンツ編集システムにおいて、
前記コンテンツファイル差し替え手段は、前記通信回線により接続された第２サーバ部と第２クライアント部とを含み、
前記第２クライアント部が、前記コンテンツファイル差し替え手段の動作時におけるユーザによる指定を受け、前記コンテンツファイル差し替え手段の動作時におけるユーザによる前記指定を、前記第２サーバ部に送信し、
前記第２サーバ部が、前記コンテンツファイル差し替え手段の動作時におけるユーザによる前記指定を、前記第２クライアント部から受信し、前記コンテンツ名別コンテンツファイル群に格納されている前記ユーザに対応したコンテンツファイル群に含まれるコンテンツファイルのうちの前記ユーザにより指定されたコンテンツファイルを、前記差し替え用素材ファイル群記憶手段に記憶されている差し替え用素材ファイル群のうちの前記ユーザにより指定された差し替え用素材ファイルに差し替えることを特徴とするコンテンツ編集システム。
【請求項４】
テンプレートコード毎にグループ化されているオリジナルコンテンツファイル群を記憶するオリジナルコンテンツファイル群記憶手段と、
差し替え用素材ファイル群を記憶する差し替え用素材ファイル群記憶手段と、
コンテンツ名別のコンテンツファイル群を記憶するコンテンツ名別コンテンツファイル群記憶手段と、
を利用したコンテンツ編集方法において、
前記オリジナルコンテンツファイル群記憶手段に記憶されているオリジナルコンテンツファイル群のうち、ユーザにより指定されたテンプレートコードに対応するオリジナルコンテンツファイル群の複写を、前記コンテンツ名別コンテンツファイル群記憶手段に格納するコンテンツ名別コンテンツファイル群複写ステップと、
前記コンテンツ名別コンテンツファイル群に格納されている前記コンテンツ名に対応したコンテンツファイル群に含まれるコンテンツファイルのうちの前記ユーザにより指定されたコンテンツファイルを、前記差し替え用素材ファイル群記憶手段に記憶されている差し替え用素材ファイル群のうちの前記ユーザにより指定された差し替え用素材ファイルに差し替えるコンテンツファイル差し替えステップと、
を有することを特徴とするコンテンツ編集方法。
【請求項５】
請求項４に記載のコンテンツ編集方法において、
前記コンテンツ名別コンテンツファイル群複写ステップを行う手段は、通信回線により相互に接続された第１サーバ部と第１クライアント部とを含み、
前記第１クライアント部が、前記コンテンツ名別コンテンツファイル群複写手段の動作時におけるユーザによる指定を受け付け、前記通信回線を通じて、前記コンテンツ名別コンテンツファイル群複写手段の動作時におけるユーザによる前記指定を、前記第１サーバ部に送信し、
前記第１サーバ部が、前記コンテンツ名別コンテンツファイル群複写手段の動作時におけるユーザによる前記指定を、前記第１クライアント部から受信し、前記複写の格納を行うことを特徴とするコンテンツ編集方法。
【請求項６】
請求項４又は５に記載のコンテンツ編集方法において、
前記コンテンツファイル差し替えステップを行う手段は、前記通信回線により接続された第２サーバ部と第２クライアント部とを含み、
前記第２クライアント部が、前記コンテンツファイル差し替え手段の動作時におけるユーザによる指定を受け、前記コンテンツファイル差し替え手段の動作時におけるユーザによる前記指定を、前記第２サーバ部に送信し、
前記第２サーバ部が、前記コンテンツファイル差し替え手段の動作時におけるユーザによる前記指定を、前記第２クライアント部から受信し、前記コンテンツ名別コンテンツファイル群に格納されている前記ユーザに対応したコンテンツファイル群に含まれるコンテンツファイルのうちの前記ユーザにより指定されたコンテンツファイルを、前記差し替え用素材ファイル群記憶手段に記憶されている差し替え用素材ファイル群のうちの前記ユーザにより指定された差し替え用素材ファイルに差し替えることを特徴とするコンテンツ編集方法。
【請求項７】
コンピュータを請求項１に記載のコンテンツ編集システムとして機能させるためのプログラム。
【請求項８】
コンピュータを請求項２に記載の第１クライアント部として機能させるためのプログラム。
【請求項９】
コンピュータを請求項２に記載の第１サーバ部として機能させるためのプログラム。
【請求項１０】
コンピュータを請求項３に記載の第２クライアント部として機能させるためのプログラム。
【請求項１１】
コンピュータを請求項３に記載の第２サーバ部として機能させるためのプログラム。
【発明の詳細な説明】
【技術分野】
【０００１】
本発明は、コンテンツを編集するためのコンテンツ編集システム及びコンテンツ編集方法に関し、特に、デジタルサイネージ(Digital Signage：電子看板)システムにおけるデジタル画像表示装置が表示するコンテンツを編集するためのコンテンツ編集システム及びコンテンツ編集方法に関する。
【背景技術】
【０００２】
近年、デジタル通信網とデジタル画像表示装置とを用いたデジタルサイネージシステムが普及しようとしている。デジタルサイネージシステムを用いて、デジタル画像表示装置に、静止画、動画、文字などのコンテンツを表示することができる。デジタル画像表示装置に表示するコンテンツをデジタル通信網を用いて遠隔操作することもできる。従って、コンテンツの内容を時間的に変更したり、デジタル画像表示装置が設置されている場所に応じて変更したりすることができる。
【先行技術文献】
【特許文献】
【０００３】
【特許文献１】特開２００５−１９６６９１号公報
【発明の概要】
【発明が解決しようとする課題】
【０００４】
特許文献１には、同一のテンプレートに挿入するコンテンツを変更するだけで、異なった画像を表示することが可能な発明が記載されている（図２、段落［００２３］〜［００２５］などを参照）。特許文献１には、それを可能とするためには、プレゼンテーションファイルに定義する素材データを変更するだけでよいことが記載されているが、それ以上の記載はない。
【０００５】
従前では、デジタル画像表示装置に表示するコンテンツを作成することができる人は、或る程度のレベル以上のスキルを有する者に限られていた。従って、一般顧客向けにデジタルサイネージシステムを用いて表示できる程度のレベルの広告などを作成するためには、或る程度のレベル以上のスキルを有する者が必要となる。そのような者の数は限られているため、デジタルサイネージシステムを用いた多様な広告を提供するための足枷となっていた。
【０００６】
そこで、本発明は、従来求められていたようなレベル以上のスキルを有さない者であっても、一般顧客向けのコンテンツを作成することを可能とするコンテンツ編集システム及びコンテンツ編集方法を提供することを目的とする。
【課題を解決するための手段】
【０００７】
本発明によれば、テンプレートコード毎にグループ化されているオリジナルコンテンツファイル群を記憶するオリジナルコンテンツファイル群記憶手段と、差し替え用素材ファイル群を記憶する差し替え用素材ファイル群記憶手段と、コンテンツ名別のコンテンツファイル群を記憶するコンテンツ名別コンテンツファイル群記憶手段と、前記オリジナルコンテンツファイル群記憶手段に記憶されているオリジナルコンテンツファイル群のうち、ユーザにより指定されたテンプレートコードに対応するオリジナルコンテンツファイル群の複写を、前記コンテンツ名別コンテンツファイル群記憶手段に格納するコンテンツ名別コンテンツファイル群複写手段と、前記コンテンツ名別コンテンツファイル群に格納されている前記コンテンツ名に対応したコンテンツファイル群に含まれるコンテンツファイルのうちの前記ユーザにより指定されたコンテンツファイルを、前記差し替え用素材ファイル群記憶手段に記憶されている差し替え用素材ファイル群のうちの前記ユーザにより指定された差し替え用素材ファイルに差し替えるコンテンツファイル差し替え手段と、を備えることを特徴とするコンテンツ編集システムが提供される。
【０００８】
また、本発明によれば、テンプレートコード毎にグループ化されているオリジナルコンテンツファイル群を記憶するオリジナルコンテンツファイル群記憶手段と、差し替え用素材ファイル群を記憶する差し替え用素材ファイル群記憶手段と、コンテンツ名別のコンテンツファイル群を記憶するコンテンツ名別コンテンツファイル群記憶手段と、を利用したコンテンツ編集方法において、前記オリジナルコンテンツファイル群記憶手段に記憶されているオリジナルコンテンツファイル群のうち、ユーザにより指定されたテンプレートコードに対応するオリジナルコンテンツファイル群の複写を、前記コンテンツ名別コンテンツファイル群記憶手段に格納するコンテンツ名別コンテンツファイル群複写ステップと、前記コンテンツ名別コンテンツファイル群に格納されている前記コンテンツ名に対応したコンテンツファイル群に含まれるコンテンツファイルのうちの前記ユーザにより指定されたコンテンツファイルを、前記差し替え用素材ファイル群記憶手段に記憶されている差し替え用素材ファイル群のうちの前記ユーザにより指定された差し替え用素材ファイルに差し替えるコンテンツファイル差し替えステップと、を有することを特徴とするコンテンツ編集方法が提供される。
【発明の効果】
【０００９】
本発明によれば、ユーザは、オリジナルコンテンツ群記憶手段に記憶されているオリジナルコンテンツファイル群を基本として用い、必要に応じて、オリジナルコンテンツファイル群に含まれるコンテンツのうちの１以上のコンテンツを差し替え用素材ファイル群記憶手段に記憶されているコンテンツに差し替えることにより、全体として、異なった種類のコンテンツを作成することができる。
【００１０】
従って、オリジナルコンテンツ群記憶手段及び差し替え用素材ファイル群記憶手段に、或る程度のレベル以上のスキルを有する者が作成したコンテンツ群を記憶させておくことにより、そのようなレベルのスキルを有しない者であっても、ある程度のレベル以上の品質を有したコンテンツを作成することが可能となる。
【図面の簡単な説明】
【００１１】
【図１】本発明の実施形態によるコンテンツ編集システムの全体の構成を表すブロック図である。
【図２】本発明の実施形態によるテンプレートファイルを基に生成される画面のレイアウト例、テンプレート情報の記載例及びコンテンツ名別コンテンツファイル群記憶部の構造を示す図である。
【図３】本発明の実施形態によるテキスト画像ＦＯファイルの一例を示す図である。
【図４】本発明の実施形態によるオリジナルコンテンツファイル群記憶部の構造を示す図である。
【図５】本発明の実施形態による差し替え用素材ファイル群記憶部の構造を示す図である。
【図６】本発明の実施形態によるユーザ別コンテンツファイル群記憶部に、ユーザが指定したコンテンツファイル群を格納する動作を説明するためのフローチャートである。
【図７】本発明の実施形態によるテンプレートコード群毎に表示されたオリジナルコンテンツ群を示す図である。
【図８】本発明の実施形態によるコンテンツ名を入力するための画面を示す図である。
【図９】本発明の実施形態によるコンテンツ名別コンテンツファイル群記憶部に格納されているコンテンツ群のうち何れかの静止画ファイル及び静止画プレビューファイルを変更する動作を説明するためのフローチャートである。
【図１０】本発明の実施形態による変更する静止画又は動画を選択するための画面を示す図である。
【図１１】本発明の実施形態による変更後の静止画を選択するための画面を示す図である。
【図１２】本発明の実施形態によるコンテンツ名別コンテンツファイル群記憶部に格納されているコンテンツ群のうち何れかの動画ファイル及び動画プレビューファイルを変更する動作を説明するためのフローチャートである。
【図１３】本発明の実施形態による変更後の動画を選択するための画面を示す図である。
【図１４】本発明の実施形態によるコンテンツ名別コンテンツファイル群記憶部に格納されているコンテンツ群のうち何れかのテキスト画像ファイル及びテキスト画像ＦＯファイルを変更する動作を説明するためのフローチャートである。
【図１５】本発明の実施形態による変更するテキスト画像又はテキストを選択するための画面を示す図である。
【図１６】本発明の実施形態によるテキスト及びそのスタイル情報を入力するための画面を示す図である。
【図１７】本発明の実施形態によるコンテンツ名別コンテンツファイル群記憶部に格納されているコンテンツ群のうちテンプレート情報ファイルに記述されているテキストを変更する動作を説明するためのフローチャートである。
【発明を実施するための形態】
【００１２】
以下、図面を参照して本発明を実施するための形態について詳細に説明する。
【００１３】
図１に本発明の実施形態によるコンテンツ編集システムの全体の構成を表すブロック図を示す。
【００１４】
図１を参照すると、このシステムは、クライアント、Ｗｅｂアプリケーションサーバ及びテキスト画像作成サーバを含む。図１には、クライアントは、１つしか示されていないが、実際には、１つ以上のクライアントが存在する。クライアントとＷｅｂアプリケーションサーバはインターネットなどのネットワークを介して、相互に接続されている。また、一般には、ネットワークとＷｅｂアプリケーションとの間にはＷｅｂサーバがあるが、本発明の特徴部分ではないため、図示していない。
【００１５】
Ｗｅｂアプリケーションは、オリジナルコンテンツファイル群記憶部１０１、コンテンツ名別コンテンツファイル群記憶部１０３、差し替え用素材ファイル群記憶部１０５、コンテンツ名別コンテンツファイル作成部１１９、静止画、動画コンテンツ変更部１２１、テキスト画像ＦＯファイル変更部１２３及びテキスト変換部１２５を有する。
【００１６】
クライアントは、入力部１０６、コンテンツ作成開始受付部１０７、静止画変更指示受付部１０９、動画変更指示受付部１１１、テキスト画像変更指示受付部１１３、テキスト変更指示受付部１１５及び表示部１１７を含む。
【００１７】
テキスト画像作成サーバ１２７は、テキスト画像作成部１２７を含む。
【００１８】
オリジナルコンテンツファイル群記憶部１０１には、テンプレート情報ファイル、テンプレートファイル、テンプレートプレビューファイル、静止画ファイル、静止画プレビューファイル、動画ファイル、動画プレビューファイル、テキスト画像ファイル及びテキスト画像ＦＯファイルが格納されている。一般には、これらのファイルは複数存在し、テンプレートコード毎にグループ化されている。
【００１９】
テンプレート情報ファイルは、ＸＭＬ電子文書ファイルであり、例えば、図２のような記載があるものである。テンプレート情報ファイルには、表示するべきコンテンツのファイル名（フォルダ名を含む）、表示するべき画像コンテンツのサイズ、表示するべきテキストなどが記載されている。
【００２０】
テンプレート・ファイルは、アドビ社のフラッシュで作成されたｓｗｆファイルである。表示部１１７に搭載されたフラッシュ・プレイヤー及びデジタル・サイネージ装置に搭載されたフラッシュ・プレイヤーは、テンプレートファイルを基本として、コンテンツを表示する。テンプレート・ファイルは、テンプレート情報ファイルを外部参照する。
【００２１】
テンプレート・プレビュー・ファイルは、表示部１１７やデジタル・サイネージ装置の画面に表示されるコンテンツの或る瞬間のスナップショットであり、例えば、ｊｐｇ形式を取っている。
【００２２】
静止画ファイルは、テンプレートファイルから、テンプレート情報ファイルを参照して、呼び出されるものであり、この静止画ファイルを基に、表示部１１７やデジタル・サイネージ装置の画面に静止画が表示される。静止画ファイルは、例えば、ｊｐｇ形式を取っている。
【００２３】
静止画プレビューファイルは、表示部１１７が、静止画のプレビューを表示するときに利用される。ユーザは、リスト形式で表示された静止画のプレビューを見て、それらの中から、デジタル・サイネージ装置において表示することを希望する静止画を選択する。静止画プレビューファイルは、例えば、ｊｐｇ形式を取っている。
【００２４】
動画ファイルは、テンプレートファイルから、テンプレート情報ファイルを参照して、呼び出されるものであり、この動画ファイルを基に、表示部やデジタル・サイネージ装置の画面に動画が表示される。動画ファイルは、例えば、ｆｌｖ形式を取っている。
【００２５】
動画プレビューファイルは、表示部１１７において、動画のプレビューを表示するときに利用される。ユーザは、リスト形式で表示された動画のプレビューを見て、それらの中から、デジタル・サイネージ装置において表示することを希望する動画を選択する。動画プレビューファイルは、動画のある瞬間における静止画のファイルであり、例えば、ｊｐｇ形式を取っている。
【００２６】
テキスト画像ファイルは、テキストのイメージのファイルであり、背景を透過処理できるように、例えば、ｐｎｇ形式を取っている。
【００２７】
テキスト画像ＦＯファイルは、上記のテキスト画像ファイルをテキスト画像作成部１２７が作成する際に、その基となる入力データとして利用される。テキスト画像ＦＯファイルは、ＸＭＬ形式を取り、テキスト、そのテキストのスタイル情報（フォント名、フォントサイズ、色などを含む）を含む。テキスト画像ＦＯファイルの一例を図３に示す。
【００２８】
コンテンツ名別コンテンツファイル群記憶部１０３には、テンプレート情報ファイル、テンプレートファイル、テンプレートプレビューファイル、静止画ファイル、静止画プレビューファイル、動画ファイル、動画プレビューファイル、テキスト画像ファイル及びテキスト画像ＦＯファイルが格納されている。１つのコンテンツ名につき、テンプレート情報ファイル、テンプレートファイル、テンプレートプレビューファイルは、それぞれ、１つ存在する。また、１つのコンテンツ名につき存在する静止画ファイル、静止画プレビューファイルの数は、０以上であり、コンテンツの内容に応じて変化する。同様に、１つのコンテンツ名につき存在する動画ファイル、動画プレビューファイルの数は、０以上であり、コンテンツの内容に応じて変化する。更に、１つのコンテンツ名につき存在するテキスト画像ファイル、テキスト画像ＦＯの数は、０以上であり、コンテンツの内容に応じて変化する。
【００２９】
図２のテンプレートファイル１５１で示されるレイアウトにおいては、静止画ファイル、静止画プレビューファイルの数は、それぞれ、２である。また、動画ファイル、動画プレビューファイルの数は、それぞれ、１である。更に、テキスト画像ファイル、テキスト画像ＦＯファイルの数は、それぞれ、１である。
【００３０】
図１においては、コンテンツ名別コンテンツファイル群記憶部１０３には、１つのコンテンツ名についてのファイル群しか示されていないが、コンテンツ名毎に、このファイル群が複数存在する。
【００３１】
差し替え用素材ファイル群記憶部１０５には、静止画ファイル、静止画プレビューファイル、動画ファイル、動画プレビューファイルが格納されている。差し替え用素材ファイル群記憶部１０５に格納されている静止画ファイルは、コンテンツ名別コンテンツファイル群記憶部１０３に格納されている静止画ファイルと差し替えることが可能なファイルである。同様に、差し替え用素材ファイル群記憶部１０５に格納されている動画ファイルは、コンテンツ名別コンテンツファイル群記憶部１０３に格納されている動画ファイルと差し替えることが可能なファイルである。
【００３２】
入力部１０６及びコンテンツ作成開始受付部１０７は、ユーザによるテンプレートの選択と共に、コンテンツ名を入力する。
【００３３】
コンテンツ名別コンテンツファイル作成部１１９は、オリジナルコンテンツファイル群記憶部１０１に格納されているコンテンツ群のうち、ユーザにより選択されたテンプレートに対応するオリジナルコンテンツ群の複写を、コンテンツ名別コンテンツファイル群記憶部１０３に格納する。そして、その複写にコンテンツ名を対応させる。
【００３４】
入力部１０６及び静止画変更指示受付部１０９は、ユーザによる静止画の変更の指示を受け付ける。
【００３５】
入力部１０６及び動画変更指示受付部１１１は、ユーザによる動画の変更の指示を受け付ける。
【００３６】
静止画、動画コンテンツ変更部１２１は、コンテンツ名別コンテンツファイル群記憶部１０３に格納されているコンテンツ群のうち、更に、ユーザにより選択されたコンテンツ名に対応する何れかの静止画ファイル、静止画プレビューファイルのうち、ユーザにより選択された静止画に対応する静止画ファイル、静止画プレビューファイルを、差し替え用素材ファイル群記憶部１０５に格納されている静止画ファイル、静止画プレビューファイルのうち、ユーザにより選択された静止画に対応する静止画ファイル、静止画プレビューファイルに置き換える。
【００３７】
同様に、静止画、動画コンテンツ変更部１２１は、コンテンツ名別コンテンツファイル群記憶部１０３に格納されているコンテンツ群のうち、更に、ユーザにより選択されたコンテンツ名に対応する何れかの動画ファイル、動画プレビューファイルのうち、ユーザにより選択された動画に対応する動画ファイル、動画プレビューファイルを、差し替え用素材ファイル群記憶部１０５に格納されている動画ファイル、動画プレビューファイルのうち、ユーザにより選択された動画に対応する動画ファイル、動画プレビューファイルに置き換える。
【００３８】
入力部１０６及びテキスト画像変更指示受付部１１３は、ユーザによるテキスト画像の変更の指示を受け付ける。
【００３９】
テキスト画像ＦＯファイル変更部１２３は、コンテンツ名別コンテンツファイル群記憶部１０３に格納されているコンテンツ群のうち、更に、ユーザにより選択されたコンテンツ名に対応する何れかのテキスト画像ファイル、テキスト画像ＦＯファイルのうち、ユーザにより選択されたテキスト画像に対応するテキスト画像ファイル、テキスト画像ＦＯファイルを、新たなテキスト画像ファイル、テキスト画像ＦＯファイルに置き換える。ここで、新たなテキスト画像ＦＯファイルは、入力部１０６及びテキスト画像変更指示受付部１１３が入力したテキスト及びそのスタイル情報に基づいて、テキスト画像ＦＯファイル変更部１２３が生成したものである。また、新たなテキスト画像ファイルは、テキスト画像ＦＯ変更部１２３が生成した新たなテキスト画像ＦＯファイルに基づいて、テキスト画像作成部１２７が作成したものである。
【００４０】
入力部１０６、テキスト変更指示受付部１１５は、ユーザによるテキストの変更の指示を受け付ける。
【００４１】
テキスト変更部は、コンテンツ名別コンテンツ群記憶部１０３に格納されているコンテンツ群のうち、更に、ユーザにより選択されたテンプレートに対応するコンテンツ名に対応する何れかのテキスト領域のうち、テンプレート情報ファイルのテキストの記述箇所に、入力部１０６、テキスト変更指示受付部１１５が入力したテキストを挿入する。なお、このテキストには、テンプレートファイルのテキスト領域に設定されているスタイル情報が適用される。
【００４２】
図２は、コンテンツ名別コンテンツ群記憶部１０３等に格納されるテンプレートファイル、テンプレート情報ファイル及び、コンテンツ名別コンテンツファイル群記憶部１０３に格納されるコンテンツ群に関する情報を示す図である。
【００４３】
図２を参照すると、テンプレートファイルは、ｓｗｆファイルである。テンプレートファイルには、符号１５１で示されるようなレイアウトを構成するための記述がある。
【００４４】
テンプレート情報ファイルは、ＸＭＬファイルである。テンプレート情報ファイルは、テンプレートファイルから外部参照される。テンプレート情報ファイルには、コンテンツ名別のコンテンツに含めるべきコンテンツに対応したコンテンツファイル名が記述されている。図２の例では、１つの動画ファイル、２つの静止画ファイル、１つのテキスト画像ＦＯファイル、１つのテキストが記述されている。
【００４５】
コンテンツ名別コンテンツファイル群記憶部１０３のフォルダ構成は、図２の右側に示すようになっている。コンテンツコードのフォルダの下には、テンプレートファイル、静止画のフォルダ（ｉｍａｇｅ）、テキストのフォルダ（ｔｅｘｔ）、動画のフォルダ（ｍｏｖｉｅ）、テンプレート情報ファイルのフォルダ（ｘｍｌ）、コンテンツコードの配下のコンテンツを全て表示した場合の画像を縮小したものであるプレビューのフォルダ（ｐｒｅｖｉｅｗ）が存在する。
【００４６】
静止画のフォルダ（ｉｍａｇｅ）の下には、静止画ファイルのフォルダ（ｏｒｉｇｉｎａｌ）、静止画プレビューファイルのフォルダ（ｐｒｅｖｉｅｗ）が存在する。
【００４７】
テキストのフォルダ（ｔｅｘｔ）の下には、テキスト画像ＦＯファイルのフォルダ（ＦＯ）、テキスト画像ファイルのフォルダ（ｉｍａｇｅ）が存在する。
【００４８】
動画のフォルダ（ｍｏｖｉｅ）の下には、動画ファイルのフォルダ（ｏｒｉｇｉｎａｌ）、動画プレビューファイルのフォルダ（ｐｒｅｖｉｅｗ）が存在する。
【００４９】
図４は、オリジナルコンテンツファイル群記憶部１０１のフォルダ構成を示す。図４には、１つのテンプレートコードしか記載されていないが、実際には、テンプレートコードのフォルダは、並列に複数存在する。従って、オリジナルコンテンツファイル群は、テンプレートコード毎にグループ化されている。テンプレートコードのフォルダの下には、テンプレートファイル、静止画のフォルダ（ｉｍａｇｅ）、テキストのフォルダ（ｔｅｘｔ）、動画のフォルダ（ｍｏｖｉｅ）、テンプレート情報ファイルのフォルダ（ｘｍｌ）、テンプレートコードの配下のコンテンツを全て表示した場合の画像を縮小したものであるプレビュー画像のフォルダ（ｐｒｅｖｉｅｗ）が存在する。
【００５０】
静止画のフォルダ（ｉｍａｇｅ）の下には、静止画ファイルのフォルダ（ｏｒｉｇｉｎａｌ）、静止画プレビューファイルのフォルダ（ｐｒｅｖｉｅｗ）が存在する。
【００５１】
テキストのフォルダ（ｔｅｘｔ）の下には、テキスト画像ＦＯファイルのフォルダ（ＦＯ）、テキスト画像ファイルのフォルダ（ｉｍａｇｅ）が存在する。
【００５２】
動画のフォルダ（ｍｏｖｉｅ）の下には、動画ファイルのフォルダ（ｏｒｉｇｉｎａｌ）、動画プレビューファイルのフォルダ（ｐｒｅｖｉｅｗ）が存在する。
【００５３】
図５は、差し替え用素材ファイル群記憶部１０５のフォルダ構成を示す。共通フォルダ（ｃｏｍｍｏｎ）は、ユーザ間で共通に利用できるコンテンツを包含するフォルダである。他方、ユーザフォルダ（ｕｓｅｒ）は、ユーザ毎に分けられたコンテンツを包含するフォルダである。ユーザコードｎ（ｎ＝１、２、・・・）のユーザは、ユーザコードｎのフォルダにあるコンテンツのみが利用でき、他のフォルダにあるコンテンツを利用することができない。ユーザコードによるユーザの区別は、末端から上に遡って２つ目のフォルダでつけられる。
【００５４】
共通フォルダ（ｃｏｍｍｏｎ）の下には、静止画フォルダ（ｉｍａｇｅ）、動画フォルダ（ｍｏｖｉｅ）が存在する。同様に、ユーザフォルダ（ｕｓｅｒ）の下には、静止画フォルダ（ｉｍａｇｅ）、動画フォルダ（ｍｏｖｉｅ）が存在する。
【００５５】
共通フォルダ（ｃｏｍｍｏｎ）の下の静止画フォルダ（ｉｍａｇｅ）の下には、静止画ファイルのフォルダ（ｏｒｉｇｉｎａｌ）、大きな静止画プレビューファイルのフォルダ（ｐｒｅｖｉｅｗ）、小さな静止画プレビューファイルのフォルダ（ｐｒｅｖｉｅｗ  ｓｍａｌｌ）が存在する。
【００５６】
共通フォルダ（ｃｏｍｍｏｎ）の下の動画フォルダ（ｍｏｖｉｅ）の下には、動画ファイルのフォルダ（ｏｒｉｇｉｎａｌ）、動画プレビューファイルのフォルダ（ｐｒｅｖｉｅｗ）が存在する。
【００５７】
ユーザフォルダ（ｕｓｅｒ）の下の静止画フォルダ（ｉｍａｇｅ）の下には、１以上のユーザ別フォルダ（ユーザコード１、ユーザコード２、・・・）が存在する。同様に、ユーザフォルダ（ｕｓｅｒ）の下の動画フォルダ（ｍｏｖｉｅ）の下には、１以上のユーザ別フォルダ（ユーザコード１、ユーザコード２、・・・）が存在する。
【００５８】
ユーザフォルダ（ｕｓｅｒ）の下の静止画フォルダ（ｉｍａｇｅ）の下のユーザ別フォルダ（ユーザコード１、ユーザコード２、・・・）の下には、静止画ファイルのフォルダ（ｏｒｉｇｉｎａｌ）、大きな静止画プレビューファイルのフォルダ（ｐｒｅｖｉｅｗ）、小さな静止画プレビューファイルのフォルダ（ｐｒｅｖｉｅｗ）が存在する。
【００５９】
ユーザフォルダ（ｕｓｅｒ）の下の動画フォルダ（ｍｏｖｉｅ）の下のユーザ別フォルダ（ユーザコード１、ユーザコード２、・・・）の下には、動画ファイルのフォルダ（ｏｒｉｇｉｎａｌ）、動画プレビューファイルのフォルダ（ｐｒｅｖｉｅｗ）が存在する。
【００６０】
各ユーザは、差し替え用素材ファイル群記憶部１０５に存在する差し替え用素材ファイルのうち、共通フォルダ（ｃｏｍｍｏｎ）の配下にあるファイル及び自分のユーザコードの配下にあるファイルを利用することができる。
【００６１】
また、各ユーザは、自分のユーザコードの配下にファイルをアップロードすることができる。
【００６２】
次に、コンテンツ編集システムの動作について説明する。
【００６３】
まず、ユーザ別コンテンツファイル群記憶部１０３に、ユーザが指定したコンテンツファイル群を格納する動作について説明する。
【００６４】
図６を参照すると、或るユーザがクライアントからこのシステムにログインすると、表示部１１７は、オリジナルコンテンツファイル群記憶部１０１に格納されているテンプレートプレビューファイルに基づいて、図７に示すようにオリジナルコンテンツ群をテンプレートコード毎に表示する（ステップＳ３０１）。なお、テンプレートプレビューファイルは、図４のプレビュー画像のフォルダ（ｐｒｅｖｉｅｗ）の中に存在する。
【００６５】
次に、入力部１０６、コンテンツ作成開始受付部１０７は、図７に示される何れかの編集ボタン１６２が押されるか否かをみる。或るオリジナルコンテンツの編集ボタン１６２が押されたことが、それに対応するテンプレートコードのオリジナルコンテンツ群が選択されたことに相当する（ステップＳ３０５）。
【００６６】
或るテンプレートコードのオリジナルコンテンツ群が選択されたならば（ステップＳ３０５でＹＥＳ）、クライアントの画面に図８に示すようなコンテンツ名を入力するためのポップアップを表示する。ユーザが図８に示すテキストボックスにコンテンツ名を入力したならば（ステップＳ３０７）、コンテンツ作成開始受付部１０７は、押された編集ボタンに対応するテンプレートコードとコンテンツ名をコンテンツ名別コンテンツファイル作成部１１９に送信する（ステップＳ３０９）。
【００６７】
コンテンツ名別コンテンツファイル作成部１１９は、テンプレートコードとコンテンツ名を受信すると（ステップＳ３１１）、オリジナルコンテンツファイル群記憶部１０１に格納されているコンテンツのうち、受信したテンプレートコードに対応するオリジナルコンテンツファイル群の複写をコンテンツ名別コンテンツファイル群記憶部１０３に格納する（ステップＳ３１３）。
【００６８】
次に、コンテンツ名別コンテンツファイル群記憶部１０３に格納されているコンテンツファイル群のうちの何れかの静止画ファイル及び静止画プレビューファイルを変更する動作について説明する。
【００６９】
図９を参照すると、まず、表示部１１７は、コンテンツ名別コンテンツファイル群記憶部１０３に格納されているコンテンツファイル群を基に、デジタルサイネージ装置に表示されるべき画面（図１０の符号２０１で示す画面）を表示する（ステップＳ３２１）。
【００７０】
次に、表示部１１７は、画面２０１に含まれる静止画２０５、動画２０９、テキスト画像及びテキストの一覧２０４を表示する（ステップＳ３２５）。
【００７１】
次に、入力部１０６及び静止画変更指示受付部１０９は、何れかの静止画に対応する挿入ボタン２０７が押されたか否かをみる（ステップＳ３２７）。
【００７２】
何れかの静止画に対応する挿入ボタン２０７が押されたならば（ステップＳ３２７）、表示部１１７は、差し替え用素材ファイル群記憶部１０５に格納されている静止画ファイル及び静止画プレビューファイルのうち、共通フォルダの配下にあるもの及び現在のユーザのフォルダの配下にあるものを基に、図１１に示すような画面を表示する（ステップＳ３２９）。
【００７３】
図１１を参照すると、符号２１３で示すものが静止画プレビューファイルを基に表示される静止画プレビューであり、符号２１５で示すものが選択されている静止画プレビューに対応した静止画ファイルを基に表示される静止画である。図１１では、静止画２が選択されている。
【００７４】
何れかの静止画が選択され、決定ボタン２１７が押されたならば（ステップＳ３３１でＹＥＳ）、静止画変更指示受付部１０９は、ステップＳ３２７で押された挿入ボタン２０７に対応する静止画の識別情報とステップＳ３３１で決定ボタン２１７が押された時に選択されている静止画の識別情報を、静止画、動画コンテンツ変更部１２１に送信する（ステップＳ３３３）。
【００７５】
静止画、動画コンテンツ変更部１２１は、ステップＳ３２７で押された挿入ボタン２０７に対応する静止画の識別情報とステップＳ３３１で決定ボタン２１７が押された時に選択されている静止画の識別情報を受信したならば（ステップＳ３３５）、ステップＳ３２７で押された挿入ボタン２０７に対応する静止画ファイル及び静止画プレビューファイルを、ステップＳ３３１で決定ボタン２１７が押された時に選択されている静止画に対応する静止画ファイル及び静止画プレビューファイルに置き換える（ステップＳ３３７）。
【００７６】
次に、表示部１１７は、コンテンツ名別コンテンツファイル群１０３にあるコンテンツファイル群を基に、デジタルサイネージ装置に表示されるべき画面の表示を更新する（ステップＳ３３９）。
【００７７】
次に、コンテンツ名別コンテンツファイル群記憶部１０３に格納されているコンテンツファイル群のうちの何れかの動画ファイル及び動画プレビューファイルを変更する動作について説明する。
【００７８】
図１２を参照すると、まず、表示部１１７は、コンテンツ名別コンテンツファイル群記憶部１０３に格納されているコンテンツファイル群を基に、デジタルサイネージ装置に表示されるべき画面（図１０の符号２０１で示す画面）を表示する（ステップＳ３５１）。
【００７９】
次に、表示部１１７は、画面２０１に含まれる動画、静止画、テキスト画像及びテキストの一覧２０４を表示する（ステップＳ３５５）。
【００８０】
次に、入力部１０６及び動画変更指示受付部１１１は、何れかの動画に対応する挿入ボタン２０７が押されたか否かをみる（ステップＳ３５７）。
【００８１】
何れかの動画に対応する挿入ボタン２０７が押されたならば（ステップＳ３５７）、表示部１１７は、差し替え用素材ファイル群記憶部１０５に格納されている動画ファイル及び動画プレビューファイルのうち、共通フォルダの配下にあるもの及び現在のユーザのフォルダの配下にあるものを基に、図１３に示すような画面を表示する（ステップＳ３５９）。
【００８２】
図１３を参照すると、符号２２１で示すものが動画プレビューファイルを基に表示される動画プレビューであり、符号２２３で示すものが選択されている動画プレビューに対応した動画ファイルを基に表示される動画である。図１３では、動画３が選択されている。
【００８３】
何れかの動画が選択され、決定ボタン２２５が押されたならば（ステップＳ３６１でＹＥＳ）、動画変更指示受付部１１１は、ステップＳ３５７で押された挿入ボタン２０７に対応する動画の識別情報とステップＳ３６１で決定ボタン２２５が押された時に選択されている動画の識別情報を、静止画、動画コンテンツ変更部１２１に送信する（ステップＳ３６３）。
【００８４】
静止画、動画コンテンツ変更部１２１は、ステップＳ３５７で押された挿入ボタン２０７に対応する動画の識別情報とステップＳ３６１で決定ボタン２２５が押された時に選択されている動画の識別情報を受信したならば（ステップＳ３６５）、ステップＳ３５７で押された挿入ボタン２０７に対応する動画ファイル及び動画プレビューファイルを、ステップＳ３６１で決定ボタン２２５が押された時に選択されている動画に対応する動画ファイル及び動画プレビューファイルに置き換える（ステップＳ３６７）。
【００８５】
次に、表示部１１７は、コンテンツ名別コンテンツファイル群１０３にあるコンテンツファイル群を基に、デジタルサイネージ装置に表示されるべき画面の表示を更新する（ステップＳ３６９）。
【００８６】
次に、コンテンツ名別コンテンツファイル群記憶部１０３に格納されているコンテンツファイル群のうちの何れかのテキスト画像ファイル及びテキスト画像ＦＯファイルを変更する動作について説明する。
【００８７】
図１４を参照すると、まず、表示部１１７は、コンテンツ名別コンテンツファイル群記憶部１０３に格納されているコンテンツファイル群を基に、デジタルサイネージ装置に表示されるべき画面（図１０の符号２０１で示す画面）を表示する（ステップＳ３８１）。
【００８８】
次に、表示部１１７は、画面２０１に含まれる動画、静止画、テキスト画像２３３及びテキスト２３７の一覧２３２を表示する（ステップＳ３８５）。
【００８９】
次に、入力部１０６及びテキスト画像変更指示受付部１１３は、何れかのテキスト画像に対応する挿入ボタン２３５が押されたか否かをみる（ステップＳ３８７）。
【００９０】
何れかのテキスト画像に対応する挿入ボタン２３５が押されたならば（ステップＳ３８７でＹＥＳ）、表示部１１７は、図１６に示すようなテキスト及びそのスタイル情報（フォント、スタイル、サイズ、行送り、垂直比率、水平比率、カラー、配置など）を入力するための画面を表示する（ステップＳ３８８）。
【００９１】
ユーザにより、テキストボックス２４３にテキストが入力され、スタイル情報が選択される（ステップＳ３８９）。スタイル情報の選択にあたっては、符号２４５−１〜２４５−６のコンボボックス、符号２４５−７で示す部分を選択すると表示される色パレット、符号２４５−８で示す配列を表す図が利用される。決定ボタン２４７が押されたならば（ステップＳ３９１でＹＥＳ）、テキスト画像変更指示受付部１１３は、ステップＳ３８７で押された挿入ボタン２３５に対応するテキスト画像の識別情報とステップＳ３８９で入力したテキスト及びそのスタイル情報を、テキスト画像ＦＯファイル変更部１２３に送信する（ステップＳ３９３）。
【００９２】
テキスト画像ＦＯファイル変更部１２３は、ステップＳ３８７で押された挿入ボタン２３５に対応するテキスト画像の識別情報とステップＳ３８９で入力したテキスト及びそのスタイル情報を受信したならば（ステップＳ３９５）、テキスト画像作成部１２７にテキスト及びそのスタイル情報を与えて、テキスト画像を作成させる（ステップＳ３９７）。次に、テキスト画像ＦＯファイル変更部１２３は、ステップＳ３８７で押された挿入ボタン２３５に対応するテキスト画像を、ステップＳ３９７で生成したテキスト画像に置き換える（ステップＳ３９９）。
【００９３】
次に、表示部１１７は、コンテンツ名別コンテンツファイル群１０３にあるコンテンツファイル群を基に、デジタルサイネージ装置に表示されるべき画面の表示を更新する（ステップＳ４０１）。
【００９４】
次に、コンテンツ名別コンテンツファイル群記憶部１０３に格納されているコンテンツファイル群のうちのテンプレート情報ファイル（ＸＭＬファイル）に記述されているコンテンツとしてのテキストを変更する動作について説明する。このテキストとは、例えば、図２に示すテンプレート情報ファイルの一例の下から３行目の「あいうえおかきくけこ」というテキストのことである。
【００９５】
図１７を参照すると、まず、表示部１１７は、コンテンツ名別コンテンツファイル群記憶部１０３に格納されているコンテンツファイル群を基に、デジタルサイネージ装置に表示されるべき画面（図１０の符号２０１で示す画面）を表示する（ステップＳ４１１）。
【００９６】
次に、表示部１１７は、画面２０１に含まれる静止画、動画、テキスト画像２３３及びテキスト２３７の一覧２３２を表示する（ステップＳ４１５）。
【００９７】
次に、入力部１０６及びテキスト変更指示受付部１１５は、何れかのテキストに対応する挿入ボタン２３９が押されたか否かをみる（ステップＳ４１７）。
【００９８】
何れかのテキストに対応する挿入ボタン２３９が押されたならば（ステップＳ４１７でＹＥＳ）、表示部１１７は、図１６に示すようなテキストを入力するための画面を表示する（ステップＳ４１８）。なお、符号２４５−１〜２４５−８で示す部分は、グレイアウトしていて、その部分を操作の対象とすることができないようにしている。
【００９９】
ユーザにより、テキストボックス２４３にテキストが入力される（ステップＳ４１９）。決定ボタン２４７が押されたならば（ステップＳ４２１でＹＥＳ）、テキスト変更指示受付部１１５は、ステップＳ４１７で押された挿入ボタン２３９に対応するテキストの識別情報とステップＳ４１９で入力したテキストを、テキスト変更部１２５に送信する（ステップＳ４２３）。
【０１００】
テキスト変更部１２５は、ステップＳ４１７で押された挿入ボタン２３９に対応するテキストの識別情報とステップＳ４１９で入力したテキストを受信したならば（ステップＳ４２５）、テンプレート情報ファイル内の、ステップＳ４１７で押された挿入ボタン２３９に対応するテキストの識別情報で識別されるテキストをステップＳ４１９で入力したテキストに置き換える（ステップＳ４２７）。
【０１０１】
次に、表示部１１７は、コンテンツ名別コンテンツファイル群１０３にあるコンテンツファイル群を基に、デジタルサイネージ装置に表示されるべき画面の表示を更新する（ステップＳ４２９）。
【０１０２】
なお、図１に示すクライアントの各部は、ハードウェア、ソフトウェア又はそれらの組合わせにより実現することができる。Ｗｅｂアプリケーションサーバ内の各部のうち記憶部を除く部分もハードウェア、ソフトウェア又はそれらの組合わせにより実現することができる。ここで、ソフトウェアによる実現とは、コンピュータをその部分として機能させるためのプログラムをコンピュータが読み込んで実行することによる実現である。
【符号の説明】
【０１０３】
１０１  オリジナルコンテンツファイル群記憶部
１０３  コンテンツ名別コンテンツファイル群記憶部
１０５  差し替え用素材ファイル群記憶部
１０６  入力部
１０７  コンテンツ作成開始受付部
１０９  静止画変更指示受付部
１１１  動画変更指示受付部
１１３  テキスト画像変更指示受付部
１１５  テキスト変更指示受付部
１１７  表示部
１１９  コンテンツ名別コンテンツファイル作成部
１２１  静止画、動画コンテンツ変更部
１２３  テキスト画像ＦＯファイル変更部
１２５  テキスト変更部
１２７  テキスト画像作成部
【図１】
2011186529.tif 000003
【図２】
2011186529.tif 000004
【図３】
2011186529.tif 000005
【図４】
2011186529.tif 000006
【図５】
2011186529.tif 000007
【図６】
2011186529.tif 000008
【図７】
2011186529.tif 000009
【図８】
2011186529.tif 000010
【図９】
2011186529.tif 000011
【図１０】
2011186529.tif 000012
【図１１】
2011186529.tif 000013
【図１２】
2011186529.tif 000014
【図１３】
2011186529.tif 000015
【図１４】
2011186529.tif 000016
【図１５】
2011186529.tif 000017
【図１６】
2011186529.tif 000018
【図１７】
2011186529.tif 000019